(57)【要約】  本発明は、再度発射できるようにする機能を妨げることなく、銃弾が発射されることを防止することができる小火器の安全装置に関し、前記安全装置は、武器の移動部品（２）を後方位置にブロックする停止位置と、前記移動部品（２）が両方向に移動することを可能にする解除位置との間で移動できるストッパ（５）を備え、前記安全装置は、ストッパ（５）を停止位置でブロックする位置と、ストッパ（５）を解除する位置との間で移動できる安全要素（１）を備え、前記安全要素（１）は安全装置の不動部分に当接し、前記安全要素（１）は、移動部品（２）の後方移動を介して、ストッパ（５）を解除する位置に向かって移動することができる。
2021513049.tif 000002
【特許請求の範囲】
【請求項１】
再度発射できるようにする機能を妨げることなく、銃弾が発射されることを防止することができる小火器の安全装置であって、前記安全装置が、武器の移動部品（２）を後方位置に不動化する停止位置と前記移動部品（２）が両方向に移動することを可能にする解除位置との間で移動できるストッパ（５）を備えており、前記安全装置が、前記ストッパ（５）を前記停止位置で不動化する位置と前記ストッパ（５）を解除する位置との間で移動できる安全要素（１）を備えており、前記安全要素（１）が、前記安全装置の不動部分に当接し、前記安全要素（１）が、前記移動部品（２）の後方移動を介して、前記ストッパ（５）を解除する位置に向かって移動することができる、小火器の安全装置。
【請求項２】
前記ストッパ（５）の上昇は、前記ストッパ（５）に設けられた回動ピンを中心に回動する解除レバー（１０）であって、フック付きの爪によってトリガーブレード（１３）に保持されるか、又は前記トリガーブレード（１３）に接続できる又は前記トリガーブレード（１３）から切り離すことができるロッカー（１２）に保持される解除レバー（１０）によって、前記移動部品（２）が前記武器の後方へ移動するような地点まで、前記トリガーブレード（１３）を解除すると、又は前記ロッカー（１２）を切り離すと命令される、請求項１に記載の小火器の安全装置。
【請求項３】
前記安全要素（１）が、弾性復帰要素によって前記ストッパ（５）の経路に配置される、請求項１又は２に記載の小火器の安全装置。
【請求項４】
前記ストッパ（５）の下の前記安全要素（１）の弾性動作の解除が、前記移動部品（２）の各シアーノッチ内の前記ストッパ（５）の上昇前に実行される、請求項３に記載の小火器の安全装置。
【請求項５】
前記ストッパ（５）の上昇時の前記ストッパ（５）の下の前記安全要素（１）の弾性動作の解除の前進は、前記安全要素（１）に作用する前記移動部品（２）の摺動面（４）に形成されたラックと前記移動部品（２）のシアーノッチによって形成されたラックとの間の縦方向のオフセットによって得られる、請求項４に記載の小火器の安全装置。
【請求項６】
前記ストッパ（５）の上昇時の前記ストッパ（５）の下の前記安全要素（１）の弾性動作の解除の前進は、前記安全要素（１）の表面（３）と前記ストッパ（５）の前記シアーノッチとの間の縦方向のオフセットによって得られる、請求項４又は５に記載の小火器の安全装置。
【請求項７】
前記ストッパ（５）の上昇時の前記ストッパ（５）の下の前記安全要素（１）の弾性動作の解除の前進は、前記ストッパ（５）を解除する位置に向かう前記安全要素（１）の移動を有することにより、及び反対方向にある前記移動部品（２）の反動運動を有することにより得られる、請求項４〜６のいずれか一項に記載の小火器の安全装置。
【請求項８】
銃尾（２）の反動運動を介した前記ストッパ（５）を解除する位置に向かう前記安全要素（１）の移動が、中間レバー又は中間ホイールによって得られる、請求項７に記載の小火器の安全装置。
【請求項９】
前記安全要素（１）が、前記武器に固定された回動ピン（７）を中心に回動する、請求項１〜８のいずれか一項に記載の小火器の安全装置。
【請求項１０】
前記安全要素（１）が、銃尾（２）の摺動面（４）と安全要素（１）の摺動面（３）との間の協働により、前記銃尾（２）によって後退する、請求項７又は９に記載の小火器の安全装置。
【請求項１１】
前記安全要素（１）が、前記ストッパ（５）の動きと直交する方向に摺動する、請求項１に記載の小火器の安全装置。
【請求項１２】
請求項１〜１１のいずれか一項に記載の小火器安全装置を組み込んだ発射機構。
【請求項１３】
半自動発射機能が、ストッパ（５）を作動させるロッカー（１２）と、発射の開始及び終了時に前記ストッパを解除位置に保持する解除レバー（１０）と、切離し装置（１１）によって前記ロッカー（１２）に接続されたトリガーブレード（１３）とをさらに備える機構によって得られ、前記切離し装置（１１）は、前記トリガーブレード（１３）と前記ロッカー（１２）との間の機械的結合を確実にすることができ、又は前記トリガーブレード（１３）と前記ロッカー（１２）との間の前記機械的結合を切り離すことができ、前記切離し装置（１１）は、前記ロッカー（１２）を発射位置から休止位置に回動させ、それにより、前記トリガーブレード（１３）が前記発射位置に維持されているときに次の銃弾が放たれることを防止するように配置される、請求項１２に記載の発射機構。
【請求項１４】
自動発射、半自動発射機能を選択する機能及び安全機能を選択する機能が、操作者用の同じ制御装置によって実行される、請求項１３に記載の発射機構。
【請求項１５】
制御機構が回転レバー（２４）からなり、前記回転レバー（２４）は、並進移動可能なスライダ（２０）を作動させ、半自動発射及び安全に関連する前記機能の起動又は停止を可能にし、それにより、前記レバーの３つの位置は、安全位置、半自動発射位置、及び自動発射位置に対応する、請求項１４に記載の発射機構。
【請求項１６】
前記スライダ（２０）が、安全要素（１）に固定された安全制御ラグ（８）が移動する安全制御スロット（２１）を備え、前記安全制御スロット（２１）の形状は、発射セレクタ（２４）が前記半自動又は自動位置にあるとき、前記ストッパ（５）を解除する位置に前記安全要素（１）を恒久的に位置付けることを可能にし、前記セレクタが前記安全位置にあるとき、前記ストッパ（５）を不動化する位置と前記ストッパ（５）を解除する位置との間の前記安全要素（１）の移動を可能にする、請求項１５に記載の発射機構。
【請求項１７】
前記スライダ（２０）の形状は、安全性が有効のとき、前記トリガーブレード（１３）を不動化し、前記発射セレクタ（２４）が前記半自動又は自動位置にあるとき、前記トリガーブレード（１３）を解除する、請求項１６に記載の発射機構。
【発明の詳細な説明】
【技術分野】
【０００１】
本発明は、機関銃を発射するための発射機構に一体化された安全機構に関する。
【背景技術】
【０００２】
機関銃は、伝統的に抑制射撃に使用される武器である。抑制射撃の目的は、相当量の発射物で戦闘ゾーンを駆逐することである。使用される武器を「火力」の観点から記載する。
【０００３】
この抑制射撃を実行するために、弾薬帯から発射することが好ましい。これにより、マガジンを交換するために中断する必要なく、相当量の弾丸を発射することが可能になるからである。
【０００４】
発射されたこの相当量の弾丸のために、武器及び銃身は非常に激しく加熱する。その結果、発射を待っている銃身のチャンバ内のカートリッジの粉末がクックオフする可能性があるという重大なリスクがある。したがって、クックオフは、タイミングの悪い、望ましくない弾の放出である（射手は、発射を命令するために武器のトリガーを押していない）。「クローズドボルト」式の銃は全て、この安全上の落ち度のリスクを示している。クローズドボルト動作とは、弾の解除を待機している間、銃尾が銃身のチャンバにロックされることを意味する。対照的に、従来、機関銃は一般に「オープンボルト」式で発射する、すなわち、銃尾は発射の準備が整った状態で銃身のチャンバに固定されない。銃尾はフレームの後部にあり、弾丸をチャンバにフィードするために解除されるのを待っている。したがって、発射を待っている弾丸が（銃身のチャンバから離れた）コールドゾーンにあるため、オープンボルト動作におけるクックオフのリスクはゼロである。
【０００５】
それらは高い発射率で使用されるため、発射機構は一般に自動機能のみを含む。つまり、この武器はもっぱらバースト（連射）で発射するということである。それは半自動式に発射することはない、つまり、トリガーが絞られるたびに１発だけ発射することはない。多くの場合、クローズドボルト銃には、半自動発射と自動発射の２つの機能がある。
【０００６】
歴史的に、ＭＧ４２が第二次世界大戦中にドイツで開発されて以来、機関銃の発射制御の原理はほとんど変わっていない。発射機構は、トリガーブレード、フレームの後部にある開位置で移動部品を停止させるストッパ、及び移動部品が前進している間、ストッパをより低い位置に保つ解除レバーから構成されている。移動部品（銃尾と銃尾ブロック）を解除して移動できるようにするために、トリガーを絞ってストッパを押し、移動部品の経路からストッパを後退させる必要がある。トリガーのこの移動中、操作者がトリガーブレードを押している限り、ストッパの前端は、移動部品の経路にない解除レバーによって途中で押さえられる。操作者がトリガーブレードを解除すると、解除レバーは移動部品の経路に戻り、移動部品が反動するまでストッパを発射位置に維持する。移動部品が反動すると、解除レバーを後方に押し、ストッパが解除される。次に、移動部品は、武器の反動バネの圧力下で、ストッパによって後方位置に再び固定される。
【０００７】
解除機構は、移動部品が最大可能な後方位置で確実に静止するようにするため、ストッパシアーの摩耗をある程度制限することを可能にする。移動部品が後方にある場合、その速度は低く、これは、移動部品が停止したときにストッパに及ぶ移動部品の運動エネルギーが最小になることを意味する。さらに、この機構は、機関銃が反動不足にならないように移動部品が暴走防止留め具に保持されないリスクを回避できる。暴走防止留め具は、移動部品の下にある不動化留め具で、通常の留め具に引っ掛かるのに十分に反動しない場合にこれらを不動化することを可能にする。このような留め具がない場合、反動の不足は、トリガーブレードが解除されたときに移動部品がストッパに引っ掛かることを防ぎ、操作者が発射を停止しようとしてもバーストが発射される可能性がある。このような「暴走」を防止するために、暴走防止留め具は、待機中のカートリッジの背面に引っ掛かった直後に、移動部品を前方への動きに関して不動化するように配置されている。このように、暴走防止留め具に引っ掛からない反動の不足は、新しいカートリッジを装填することができず、したがって、連続的な発射を妨げる。
【０００８】
ＭＧ４２及びその発射機構に基づく武器では、安全性は、武器の銃身の軸を横切る押しボタンシステムによって達成される。自動発射が可能な位置では、押しボタンでストッパを下げることができ、これにより移動部品が解除される。安全性が有効のとき、移動部品がストッパシアーから分離できる前に、ストッパは押しボタンに突き当たる。この特にシンプルで効果的な機構では、安全性が有効のときに武器を再度発射できるようにすることはできず、半自動発射もできない。
【０００９】
オープンボルト式武器の発射機構は全てが解除レバーシステムを備えているわけではない。解除レバーがない場合、トリガーブレードがストッパを直接制御する。つまり、移動部品が前方に移動している間に、操作者はストッパを解除する可能性がある。その場合、ストッパは必ずしも最適な（面と面の）接触で移動部品に引っ掛かるわけではなく、移動部品が高速で移動する可能性がある状態で引っ掛かり（ストッパによって途中で押さえられたストッパ留め具が、後方位置の移動部品に対応する留め具でなく、実際には暴走防止留め具である場合）、これは、解除レバーを備えた機構の摩耗と比較して、ストッパシアーの摩耗が増加することを意味する。ストッパシアーの過度の損傷は、武器の安全性と信頼性を損なう可能性がある。
【００１０】
このシステムでは、安全性は、武器を横切る可動ピンから構成され、可動ピンは武器が「安全」位置にあるときにストッパの動きを制限する。つまり、安全性が有効になっている場合、ストッパは移動部品が反動するときに移動部品の経路から外れて後退することができないため、武器を再度発射できるようにすることはできない。別の結果として、移動部品が手で反動されない限り、解除レバーがストッパを邪魔にならない所に保持しているため、移動部品が前方にある場合、安全性は確保されない。
【００１１】
安全性が有効のときにオープンボルト式武器を再度発射できるようにすることを可能にするために、特許文献１は、ストッパがストッパレバーと安全レバーの２つの部品から構成される特定の機構を記載している。ストッパレバーと安全レバーの間のバネは、安全レバーを休止位置に押し込み、それによりそれは安全性が有効の状態で移動部品が後方に引かれたときに、発射セレクタに突き当たる機能を実行しない。反動バネの影響で移動部品が前方に戻ると、移動部品は安全レバーを回動させ、ストッパレバーで停止する。回動時、安全レバーは、安全性が有効のときにストッパの移動を制限する機能を実行できる位置に移動する。
【００１２】
特許文献１で提案されたシステムの１つの不利な点は、ユーザが武器の状態に関わらず安全性を確保することを可能にするために、安全位置にある場合でも、トリガーブレードに特定の移動度を残す必要があることである。安全レバーによってトリガーブレードの移動を完全に不動化できるようにするために、特許文献２には、ユーザがストッパの位置に関係なく安全性を確保できるように修正された機構が記載されている。この新しい機構では、トリガーブレードと解除レバーは、中間構成要素の導入によって切り離されている。その結果、発射セレクタが安全位置にあるときにトリガーブレードの移動を発射セレクタによって取り消すことができ、その間は、解除レバーによってストッパがより低い位置に保持される。
【００１３】
特許文献１及び特許文献２に記載された機構は、特に悪条件における武器の安全性の点で大きな欠点がある。安全レバーの休止位置はバネによって得られ、移動部品の分離を可能にする位置に対応する。つまり、ストッパと安全レバーの間に滑り込む可能性のある比較的中程度のサイズの破片によって、移動部品がストッパによって解除されることを可能にする位置で、安全レバーは詰まりやすくなる。これが発生した場合、ストッパの移動が制限されていなくても、武器は安全位置に置かれて、安全な武器の全ての兆候を示すことができる。このような状況では、ストッパによって移動部品が解除されるのを阻止するものがないにもかかわらず、武器は危険がないかのように扱われるため、武器は操作者と戦闘ユニット全体に大きなリスクをもたらす。安全レバーをストッパに直接組み込むことは、非常に小さな構成要素（安全レバー戻りバネ、安全レバー、安全レバーピン等）の使用を伴い、そのそれぞれが故障の原因となり得るという事実は、武器に降りかかるこの危険な状況の可能性がさらに大きくなることを意味する。
【００１４】
特許文献１及び特許文献２に記載されているシステムの別の欠点は、安全レバーが安全ピン（２位置発射セレクタとして機能するピボットレバー、その位置は安全及び自動である）に直接当接するという事実である。この設計には、ストッパの動きを制限することに関連する荷重が、トリガーガードに対して中間にある構成要素に伝達されるという欠点がある。安全性が有効になっているときのストッパの位置の制御が本質的に不十分であることを除いて（構成要素のそれぞれに広がる製造が累積するため、構成要素が多いほど、配置の精度が低くなる）、（安全レバーと安全ピンの間の）ストッパの動きを制限する接触は、カム形状の部品上にあることに留意されたい。このカム形状は、セレクタレバーが自動発射位置にあるときにストッパが移動することを可能にするために、及び安全性が有効な状態で移動部品が後方に戻されるときにストッパが下がることを可能にするために必要である。
【００１５】
特許文献１及び特許文献２では、セレクタは、安全ピンの回転によって「安全」位置から「自動」位置に移動する。この回転運動は、操作者にとって人間工学に基づいた長所であるが、安全ピンの角度位置の不確実性（これは必ずしも武器の製造上の欠陥に関連せず、操作者側の不確実な取り扱いや環境の影響などにも関連している）は、機関銃の近くにいる人の安全性に重大なリスクをもたらす。これは、安全ピンの角度位置が悪いと、安全レバーがカムの表面に対して滑って、ストッパが動き、銃弾が誤って放たれる可能性があるためである。
【００１６】
最後に、特許文献１及び特許文献２に記載されている発射機構の別の欠点は、半自動発射機能がないことである。半自動発射を実現する能力がないと、汎用性が高いとされている機関銃の柔軟性が損なわれる。武器の汎用性の必要性は、配備、具体的には武器が分配されるレベルの問題に関連している。
【００１７】
歴史的に、オープンボルト原理で動作するが弾薬帯を発射しない武器は、半自動機能と自動機能の両方を備えていた。特筆すべきはブレン（Ｂｒｅｎ）軽機関銃とウジ（Ｕｚｉ）短機関銃である。これらの武器は、支援用武器と個人用武器のハイブリッドであり、それらの操作者が、より限定された火力の武器（ライフル又はピストル）を使用する他の操作者を支援するために、限られた期間、支援の役割を実行することを可能にする。しかしながら、マガジンフィードには固有の制限があり、軽機関銃（又は短機関銃）のユーザは、機関銃によって提供できるのと同程度の支援を提供できる十分に長い期間、火力を維持することができない。
【００１８】
これらのオープンボルト式武器の半自動動作は、トリガーブレードとストッパとの間の切離し装置によって達成されることが多い。発射セレクタが自動発射位置にある場合、トリガーブレードの移動はさらに制限される。つまり、トリガーブレードはストッパを（移動部品上のストッパ留め具が届かない）より低い位置に保つ。発射セレクタが半自動発射位置にある場合、トリガーブレードの移動は、切離し装置がトリガーブレードの前で当接し、最初の銃弾が発射した後に移動部品を途中で押さえるストッパを解除するのに十分である。この解決策は、しばらくの間、特定の武器で受け入れられてきたが、操作者が、スライドを解除するのに十分であるが、移動を完全に実行するのに十分ではない強さでトリガーブレードを絞った場合、理論的には失敗するという欠点がある。それが起こると、操作者がシングル銃弾を期待していた場合でさえ、武器はバーストを発射する。これは主要な安全性の問題である。
【００１９】
セレクタが半自動発射位置にあろうと自動発射位置にあろうと同じであるトリガーブレードの移動を維持するために、ウジ短機関銃の発射セレクタはトリガーブレードの移動ではなく、切離し装置に直接作用する。セレクタが半自動発射位置にある場合、切離し装置の移動上にバッファーストッパがあり、かくして切離し装置はストッパを解除する。この解決策は特に簡単であるが、発射セレクタが半自動発射位置にあるときにバーストを発射するリスクには対応していない。それにもかかわらず、この問題は、移動部品が分離する瞬間にトリガーブレードに必要とされる力の低下によって制限される。
【００２０】
この原理は、特許文献３で再採用され、ＭＡＧ  ５８（Ｍ２４０）機関銃の半自動発射動作を可能にした。半自動発射モードにおけるこのようなシステムの安全性の欠陥に加えて、この機構の主な欠点は、解除レバーシステムがないことであるが、これはＭＡＧ  ５８及びＭ２４０機関銃に存在する。解除レバー機構がない場合、ストッパシアーの摩耗は、耐用年数の間の武器の信頼性（動作低下として解釈される、トリガーブレードに必要とされる力の変動）と安全性（移動部品はストッパシアーにしっかりと引っ掛からない）を損なうのに十分な問題である。
【００２１】
より信頼できる半自動発射モードを生み出すことを可能にするために、ブレン軽機関銃の設計者らは、非常に特定的な切離し装置を備えた機構を選択した。この切離し装置は、ストッパを下げる２つの接触可能性と、移動部品の経路に入ることができる突起とを有する。セレクタが自動発射位置にある場合、切離し装置はトリガーブレードの下部を介してトリガーブレードをストッパに接合し、切離し装置の突起が移動部品の経路にないようにする。その場合、トリガーブレードの移動は少しの力で多少長くなる（ストッパの切離し装置のレバーアームは最大長である）。発射セレクタが半自動発射位置にある場合、切離し装置は上昇位置にあるため、突起は移動部品の経路内にある。操作者がトリガーを押すと、ストッパに力が伝達され、移動部品が解除される。移動部品が前方に移動するとき、切離し装置を押してストッパを解除し、上方に移動する。これは、移動部品が解除されるとすぐに起こる。これは、最初の銃弾が発射された後、ストッパが再び移動部品を停止する位置にあることを意味する。切離し装置とストッパの間の接続は上からであるため、ストッパ上の切離し装置のレバーアームは短い。これにより、銃弾を発射ーする最大の力でトリガーブレードの移動が減少する。
【先行技術文献】
【特許文献】
【００２２】
【特許文献１】欧州特許第２２０５９２５号明細書
【特許文献２】欧州特許第２８３１５３１号明細書
【特許文献３】米国特許出願公開第２０１１／０１６８００８号明細書
【発明の概要】
【発明が解決しようとする課題】
【００２３】
本発明の様々な態様は、以下の問題の少なくとも１つに対処しようと努める：
・オープンボルト式の機関銃の設計で半自動発射を可能にし、同時に、トリガーの動きとストッパによる移動部品の係合との間で解除レバー機能を維持する。
・武器の状態（特に移動部品の位置）に関係なく発射安全性が確保されるようにし、一旦安全性が有効になると、武器を再度発射できるようにする（安全解除ハンドルにより移動部品を後方に移動できるようにする）。
・ストッパシアーの摩耗を制限し、製品の耐用年数を通して同じレベルの信頼性と安全性を維持するために、自動発射モードであろうと半自動発射モードであろうと解除レバーを備えた停止−発射機構を維持する。
・さらに、これらの動作は全て、回転式発射セレクタ、つまり従来の銃と同様の発射セレクタを使用して実行されなければならない。
【００２４】
これらの要件の目的は、機関銃がその支援能力を損なうことなく銃と同等の制御人間工学を有することを可能にすることである。
【課題を解決するための手段】
【００２５】
本発明は、再度発射できるようにする機能を妨げることなく、銃弾が発射されることを防止することができ、好ましくは武器の状態に関係なく係合することができる小火器の安全装置に関し、前記武器は、武器の移動部品を後方位置に不動化する停止位置と、前記移動部品が両方向に移動することを可能にする解除位置との間で移動できるストッパを備え、前記安全装置は、ストッパを停止位置で不動化する位置と、ストッパを解除する位置との間で移動できる安全要素を備え、前記安全要素は武器の不動部分に当接し、前記安全要素は、移動部品の後方移動を介して、ストッパを解除する位置に向かって移動することができる。
【００２６】
本発明において、移動部品が意味するものは、武器再装填サイクルによって動いている全ての部品である。これは、例えば、ボルトが中で動くスライドを備えるアセンブリであり、スライドはガス反動ピストンに取り付けることができる。それはまた、ロックされていない銃尾の場合、より簡単に銃尾に関連し得る。
【００２７】
好ましい実施形態によれば、本発明による安全装置は、以下の特徴の少なくとも１つの適切な組み合わせを含む：
・ストッパの上昇は、ストッパの前部に設けられた回動ピンを中心に回動する解除レバーであって、フック付きの爪によってトリガーブレードに保持されるか、又はトリガーブレードに接続できる又はトリガーブレードから切り離すことができるロッカーに保持される解除レバーによって、移動部品が武器の後方へ移動するような地点まで、トリガーブレードを解除すると、又はロッカーを切り離すと命令される；
・安全要素は、弾性復帰要素によってストッパの経路に配置される；
・ストッパの下の安全要素の弾性動作の解除は、移動部品の各シアーノッチ内のストッパの上昇前に実行される；
・ストッパの上昇時のストッパの下の安全要素の弾性動作の解除の前進は、安全要素に作用する移動部品の摺動面に形成されたラックと、移動部品のシアーノッチによって形成されたラックとの間の縦方向のオフセットによって得られる；
・ストッパの上昇時のストッパの下の安全要素の弾性動作の解除の前進は、安全要素の表面と、ストッパのシアーノッチとの間の縦方向のオフセットによって得られる（シアーノッチによって意味されるものは、移動部品の下にあり、移動部品を停止するためにストッパが当接する全ての表面である）；
・ストッパの上昇時のストッパの下の安全装置の弾性動作の解除の前進は、ストッパを解除する位置に向かう安全要素の移動を有することにより、及び反対方向にある移動部品の反動運動を有することにより得られる；
・移動部品の反動運動を介したストッパを解除する位置に向かう安全要素の移動は、中間レバー又は中間ホイールによって得られる；
・安全要素は、武器に固定された回動ピンを中心に回動する；
・安全要素は、移動部品の摺動面と安全要素の摺動面との間の協働により、移動部品によって後退する；
・安全要素は、ストッパの動きと直交する方向に摺動する。
【００２８】
本発明の第２の態様は、本発明の第１の態様による小火器安全装置を組み込んだ発射機構に関する。
【００２９】
有利には、本発明の発射機構は、ストッパを作動させるロッカーと、切離し装置によってロッカーに接続されたトリガーブレードとをさらに備える機構によって得られる半自動発射機能を備え、切離し装置は、トリガーブレードとロッカーとの間の機械的結合を確実にすることができ、又はトリガーブレードとロッカーとの間の前記機械的結合を切り離すことができ、前記切離し装置は、ロッカーを発射位置から休止位置に回動させ、それにより、トリガーブレードが発射位置に維持されているときに次の銃弾が放たれることを防止するように配置される。
【００３０】
好ましくは、自動発射、半自動発射機能を選択する機能及び安全機能を選択する機能は、操作者用の同じ制御装置によって実行される。
【００３１】
有利には、制御機構は回転レバーからなり、回転レバーは、並進移動可能なスライダを作動させ、半自動発射及び安全に関連する機能の起動又は停止を可能にし、その結果、レバーの３つの位置は、安全位置、半自動発射位置、及び自動発射位置に対応する。
【００３２】
有利には、スライダは、安全要素に固定された安全制御ラグが移動する安全制御スロットを備え、その形状は、発射セレクタが半自動又は自動位置にあるとき、ストッパを解除する位置に安全要素を恒久的に位置付けることを可能にし、セレクタが安全位置にあるとき、ストッパを不動化する位置とストッパを解除する位置との間の安全要素の移動を可能にする。
【００３３】
好ましくは、スライダの形状は、安全性が有効のとき、トリガーブレードを不動化し、発射セレクタが半自動又は自動位置にあるとき、トリガーブレードを解除する。
【００３４】
有利には、スライダの様々なスロットは、セレクタが選択位置にあるときに様々なラグが収容されるノッチを備え、それにより、武器の状態が明確に定義されない２つの位置の間の安定した平衡な位置をセレクタが見つけることができないようにする。
【００３５】
最後に、本発明は、本発明の第１の態様による小火器安全装置を一体化した発射機構を備えるオープンボルト式小火器にも関する。
【図面の簡単な説明】
【００３６】
【図１】本発明による発射装置の一例の分解図を示す。
【図２ａ−２ｄ】本発明の機構の例の様々な断面を示し、様々な構成要素が組み立てられ、移動部品が後方位置に位置付けられ、安全性が有効になっている。
【図２ｅ】図２ａから２ｄ（安全位置にある）の機構の例の斜視図を示す。
【図３】セレクタが半自動位置にある、本発明による装置の断面図を示す。
【図４】図３の装置の断面図を示しており、トリガーブレードが押され、移動部品が前方に移動しているため、スライダは見えなくなっている。
【図５】切離し装置が外された後の、図４と同じ断面を示す。
【図６】図２の装置の断面を示し、スライダが見え、セレクタが自動位置にあり、武器は休んだ状態である。
【図７−７ａ】図６の装置の断面図を示しており、様々な構成要素が互いにどのように相互作用するかをよりよく示している。
【図８】トリガーブレードが部分的に係合している、シアーとロッカーとの間の切離し機構の代替形態を示している。
【図９】図８の切離し機構を示し、トリガーブレードがその移動の終わりにある。
【図１０】自動モードにある図８の機構を示す。
【図１１】自動動作の代替形態を示す。
【発明を実施するための形態】
【００３７】
機関銃が銃と同様の安全基準を満たすことを可能にする安全機構を開発するときに考慮すべき２つの要件がある（武器の取り扱いに関して）：
・発射セレクタが安全位置にあるとき、武器を再度発射できるようにすることが可能でなければならない。
・武器の状態に関係なく、発射セレクタは安全位置に動かすことができなければならない。
【００３８】
これら２つの機能の達成は、発射セレクタが安全位置にある瞬間から操作者の安全性を損なってはならない。
【００３９】
これを達成するために、本発明によれば、発射セレクタが安全位置にあるとき、ストッパの移動は、武器の不動部品に当接する安全要素によって制限される。この安全要素は、ストッパの経路から後退させることができ、移動部品が武器の前部から後部に移動することを可能にする。移動部品の下のカムがこの後退を可能にする。移動部品のストッパ留め具がストッパシアーを通過するたびに、戻りバネが安全要素をストッパの経路に戻す。
【００４０】
発射セレクタは、発射セレクタが安全位置にあるとき、大きな移動を可能にするように安全要素に接続されているが、発射セレクタが（半自動発射又は自動発射）発射位置にあるとき、安全要素をストッパの経路から後退させる。
【００４１】
銃においては、安全性の関与は、トリガーブレードの動きの妨害と、武器の発射不能とによって明らかにされる。武器の取り扱いを複雑にすることなく、操作者のリスクを軽減するため、その状態に関係なく武器の安全性を確保できる可能性は重要な要素である。
【００４２】
安全が確保されることを可能にするため、及び、ストッパが解除レバーによって下方位置に保持されている間に、武器が操作者によって再装填されることを可能にするために、解除レバーは、トリガーブレード上ではなく、直接ストッパ上で、又はトリガーブレードと解除レバーの間にある可動ロッカー上で回転するように取り付けられる。
【００４３】
好ましくは、解除レバーがストッパに取り付けられている場合、解除レバーとトリガーブレードとの間の接続は、フック形状の爪を介して行われ、これにより、解除レバーがストッパを下方位置に保持し続ける場合でさえ、トリガーブレードをその休止位置に戻すことが可能になる。この特定の機能により、欧州特許第２８３１５３１  Ｂ１号明細書（これはより高価な解決策である）で提案されている解決策であるトリガーブレードを２つの部品に分割することなく、その状態に関係なく武器の安全を確保するという問題を克服することが可能になる。それにもかかわらず、中間ロッカーは半自動発射モードでの使用に有益であると判明する場合がある。その場合、解除レバーの爪は、トリガーブレードに直接当接するのではなく、中間ロッカーに当接する。この場合、ロッカーは半自動発射の場合にのみ有益であり、安全性を有効にして再度発射できるようにする間、ロッカーは必ずしもトリガーブレードから切り離されないことに留意されたい。
【００４４】
銃と同様の取り扱いを可能にする安全の達成に関して、不可欠な要素は、武器の剛性部分に当接する安全要素の存在であり、これは移動部品が動かないようにストッパの移動を制限するが、移動部品が後方へ移動するときにこれらによって後退することができる。
【００４５】
好ましくは、解除レバーは、トリガーブレードではなくストッパに取り付けられ、これはトリガーブレードの移動を制限するバッファを発射セレクタへ組み込むことを可能にし、同時に武器がその状態に関係なく安全にされることを可能にする。トリガーブレードの移動を制限することは、発射セレクタが安全位置にあることを操作者に示す単純で効果的な指標である。
【００４６】
有利には、安全要素の後退の方向は前方であり、そのため、移動部品の動作は安全要素上でそれらが後方に移動するときに、移動部品のストッパ留め具がストッパシアーを完全に越えて移動する前に中断される。したがって、安全要素は、移動部品の各ストッパ留め具を克服した後にストッパが後方に移動するとすぐにその機能を取り戻すので、安全性が確保されることなく移動部品がストッパに当接し得る中間位置の危険はない。
【００４７】
安全要素の後退の方向及び移動部品の許可された移動の反転は、２つのアセンブリ（カム形状）間の斜めの接触又は２つのアセンブリ間の中間レバーを介して達成することができる。
【００４８】
移動部品の許可された移動の方向と安全要素の後退移動の反転に関する取り決めを守ることができない場合でも、移動部品のストッパ留め具によるストッパシアーの克服と比較して移動部品による安全要素の解除を進めることが重要である。これは、移動部品のストッパ留め具と比較することにより安全要素を後退させるラックの長手方向のオフセットを介して、又はストッパシアーの位置に対して安全要素を後退させるインデックスの長手方向のオフセットによって達成することができる。
【００４９】
半自動動作の実現を可能にするために、発射メカニズムは次の原則に従って修正された：
・トリガーブレードは２つの要素に分割される。これらの要素の一方は、ユーザが関与する限りにおいてトリガーブレードの機能を実行する。この要素は、以下、トリガーブレードと呼ばれる。他方の構成要素は、武器内部の機能を実行する、つまり、移動部品の動きを解除するためにストッパを押し、解除レバーに作用して移動部品を停止する。この構成要素は、以下、ロッカーと呼ばれる。
・トリガーブレードとロッカーの間に切離し機能が追加され、それにより発射セレクタが半自動発射位置に配置されると、移動部品の前方への移動がトリガーブレードとロッカーとの間の切離しを引き起こし、操作者がトリガーブレードをまだ押している場合でさえ、ロッカーが発射停止位置に回動することを可能にする。
【００５０】
或いは、切離し装置の経路に配置されたバッファによって切離しを達成することができる。第１の代替案によれば、このバッファは、発射セレクタが半自動位置にあるときにのみ、切離し装置の経路に配置される。第２の代替案によれば、バッファは固定されているが、トリガーブレードの移動は、バッファと切離し装置との間の接触を防止するために自動モードにおいて制限される。
【００５１】
移動部品による切離しの場合、ロッカーとトリガーブレードとの間の切離しの機能は、自動発射モードと半自動発射モードとの間でトリガーブレードの移動が異なる場合、単一構成要素で達成することができる。この場合、発射セレクタが半自動位置にあるとき、移動部品は切離し装置に直接作用する。この方法は具現化が簡単だが、操作者が半自動モードで発射するか自動モードで発射するかに応じて、操作者に必要な制御力を修正するという欠点がある。
【００５２】
操作者に必要な制御力の変動により、武器の衝撃の分類において差（精度誤差）を観察することは珍しくない。確かに、バースト（連発）を発射するとき、又はシングル銃弾を発射するときに、トリガーブレードを違った風に引く必要がある場合、操作者は異なる照準ずらしを武器に適用するだろう。さらに、移動部品の解除に必要な力又は移動の大幅な変動は、操作者によって武器の動作不良として解釈される可能性がある。武器の動作と低下した操作性との間の混乱のこの潜在性は、操作者が質が悪いと信じている自分の武器に対する信頼性を損なう傾向がある。
【００５３】
この理由から、切離しを達成するために、２構成要素機構（２構成要素、すなわち、切離し装置と切離し装置シアー）に頼ることが好ましい。このタイプの機構では、切離し装置は常にトリガーブレードとロッカーの間で作用するが、切離しコマンドは、切離し装置シアーを介して移動部品によって切離し装置に伝えられる。この場合、発射セレクタはトリガーブレードの移動ではなく、発射前の切離し装置シアーの位置に作用する。発射セレクタが半自動発射位置にあるとき、切離し装置シアーは移動部品の経路の休止位置にあり、発射セレクタが自動発射位置にあるとき、切離し装置シアーは移動部品の経路から外れた位置に位置付けられる。
【００５４】
最後に、武器を安全な状態にすることができる発射セレクタは、半自動動作と自動動作の間の選択を可能にするセレクタと同じである必要はないが、これらの様々な機能間の選択が、３つの位置を持つ回転レバーの形態で同じ制御を介して実行されると好ましいことに留意されたい。レバーと、安全及び半自動機能の達成に関与する様々な要素との間の接続は、直接的であり得る。この場合、潜在的に互いに離れている可能性のある多くの構成要素を同時に制御することは複雑になる可能性がある。
【００５５】
したがって、本発明の別の態様は、レバーの位置をスロットを介して構成要素（特に安全要素及び切離し装置シアー）の可能な位置に変換するセレクタスライダに関し、スロットの形状は、制御される構成要素上のラグを不動化すること、又は前記ラグにある程度の自由度を残すこと（例えば、安全の場合）のどちらかを可能にする。このスライダは、以下に記載する例で特に有利であるが、制御すべき様々な要素が多数あり互いに離れている場合は常により一般的に有利である。
【００５６】
発射セレクタとセレクタスライダとの間のリンクがラックアンドピニオンタイプの噛み合い接続であることは有利かもしれない。それにもかかわらず、他の代替形態が可能である（セレクタスライダの垂直な長い穴に入るセレクタの偏心、又はリンケージ／クランクシステム等）。
【００５７】
最後に、半自動機能を組み込んだシステムと、武器を再度発射できるようにすることを可能にする安全システムとの組み合わせをわずかな空間量で達成することを可能にするために、発射セレクタのピンがストッパのピボットピンとしても機能することが有利かもしれない。
【実施例】
【００５８】
図１は、本発明による発射装置の一例の分解図を示す。
【００５９】
この装置は、移動部品２の底部に形成されたノッチに当接することによって移動部品２を後方位置で停止させることを可能にするストッパ５を備える。
【００６０】
このストッパ５は、その前部に解除レバー１０を支持するピン１６を備える。この解除レバーは、その基部に爪１５を備える。ストッパ及び解除レバーから構成されたアセンブリは、ピン２９を介して装置に固定される。この解除レバー１０は、トリガーブレード１３が解除されたときでさえ、移動部品２が前方へ移動するときにそれらの経路外にストッパ５を保持することを可能にする。ストッパの端部に解除レバー１０を位置付けることにより、武器の状態に関係なく、武器が安全にされて再装填されることが可能になる。
【００６１】
ロッカー１２は、トリガーブレード１３とストッパ５との間に位置付けられる。このロッカー１２は、トリガーブレード１３がストッパ５から切り離されることを可能にし、これは、後で分かるように、半自動発射が選択されることを可能にする。
【００６２】
半自動発射機能は、本質的に、切離し装置１１と切離し装置シアー１４の存在を介して実装され、トリガーブレード１３をロッカー５から切り離すことを可能にする。
【００６３】
安全機能は、本質的に、安全要素１を追加することによって、及びトリガーブレード１３の不動化ラグ３４の存在によって実装される。
【００６４】
武器の様々な動作モード、すなわち、安全、シングル銃弾発射、又は自動発射モードは、ピン２９上に配置された噛み合いスライダ制御機構２６によって作動され、且つ発射セレクタ２４によって作動されるスライダ２０によって選択される。
【００６５】
安全な動作
図２ａからｄは、本発明の機構の様々な断面を示し、様々な構成要素が組み立てられ、移動部品が後方位置に配置され、安全性が確保されている。
【００６６】
見て分かるように、移動部品２はストッパ５によって後方位置で不動化され、ストッパ５はさらに、安全要素１がストッパのバッファ９を上昇位置に不動化することによって上昇位置に維持される。この安全要素１は、バネ６によってこの位置に保持されている。トリガーブレード１３を押してもストッパは移動されず移動部品は解除されないことをこの状況で見ることができる。
【００６７】
また、スライダ２０の安全制御スロット２１が、移動部品が後方に動かされたときに安全要素が回転すること、したがって後退することを可能にすることが観察される。この後退は、移動部品の下の対応する表面４上での摺動面３の摺動によって引き起こされる。
【００６８】
さらに、ロッカー１２の動きは、スロット２２内のラグ１９によって制限され、トリガーブレード１３の動きは、スライダ２０の下にあるトリガーブレード１３の不動化ラグ３４によって制限される。
【００６９】
半自動動作
図３は、セレクタが半自動位置にある本発明による装置の断面を示す。この位置で、スライダ２０は、安全制御ラグ８が安全制御スロット２１内を摺動することにより、安全要素１をバッファ９の経路から押し出し、ロッカー制御スロット２２は、ロッカー制御ラグ１９の動きを解除し、トリガーブレード不動化ラグ３４はトリガーブレード解除隙間３３内に移動することができる。最後に、切離し装置シアー制御スロット２３は、切離し装置シアーが再び上昇して移動部品２の経路に入ることを可能にする。
【００７０】
図４は、半自動動作中のロッカー１２、トリガーブレード１３、切離し装置１１及び切離し装置シアー１４の動きを示すことができるように、スライダが見えなくなっている図３の装置の断面を示す。この図は、トリガーが絞られ、移動部品が前方方向に前進し、切離し装置シアー１４がまだトリガーブレード１３からロッカー１２を分離していないサイクルの状態を示している。
【００７１】
トリガーブレード１３が絞られると、それはピン１７の周りを回転し、ストッパ５のロッカー制御ラグ１９を介して押されるロッカー１２を駆動し、移動部品２が解除される。トリガーブレード１３とロッカー１２の間の結合は、切離し装置１１がロッカー１２に固定されたピンの周りで回転し、トリガーブレード１３のラグ３０に引っ掛かることによって提供される。
【００７２】
ストッパ５が移動するとき、解除レバー１０を上向きに駆動する。解除レバー１０の爪１５は、ロッカー１２の解除レバーラグ３１に引っ掛かる。この引っ掛かりにより、ストッパ５は、移動部品が前方へ移動するときにそれらの経路外に維持されることが可能になる。
【００７３】
切離し装置シアー１４のレバー３５は、ロッカー１２と切離し装置１１との間に位置付けられ、その結果、移動部品２が切離し装置シアー１４のカム３６に押しつけられると、前記レバー３５は、トリガーブレード１３のラグ３０から切離し装置１１を分離する。この分離は、ロッカー１２をその休止位置に戻し、解除レバー１０を移動部品２の経路に置く効果を有する。
【００７４】
図５は、切離し装置シアー１４によってトリガーブレード１３からロッカー１２を切り離した後の様々な構成要素を示す。
【００７５】
移動部品２の後方への戻り運動の間、それらは、ロッカーのラグ３１から解除レバー１０を分離し、これにより、ストッパ５が前方の移動部品を不動化するその位置に戻ることを可能にする。
【００７６】
図８は、切離し装置１１の経路に位置付けられたバッファ４０によって切離しが起こる代替の半自動発射セレクタを示す。この代替形態では、半自動モード中、トリガーブレード１３が絞られると、切離し装置１１は、ストッパバッファ９により移動部品２が解除された直後にバッファ４０と接触する。この接触により、切離し装置１１がそのピン１８を中心に回転し、それにより切離し装置１１をトリガーブレード１３から分離する。
【００７７】
図９は、トリガーブレード１３の移動の連続に続く、ロッカー１２の切離し直後の図８の装置を示す。
【００７８】
図１０では、バッファ４０は、自動発射のために切離し装置の経路から後退している。バッファ４０のそのような位置は、切離しバッファ制御ラグ４１を動かす発射制御スライダのスロットの特定の幾何学形状によって有利に得ることができる。
【００７９】
いずれの場合においても、半自動モードでは、操作者がトリガーブレードを解除すると、切離し装置はトリガーブレード１３とロッカー１２の間の結合位置に戻る。
【００８０】
自動動作
図６は、図２の装置の断面を示し、ここではスライダを見ることができ、セレクタは自動位置にある。この位置において、切離し装置シアー制御スロット２３が、ラグ３２を介して、切離し装置シアー１４を移動部品２の経路から外し、それにより、トリガーブレード１３とロッカー１２との間の切離しを防止し、自動発射を可能にすることを理解することができる。
【００８１】
図７及び７ａは、図６のデバイスの２つの断面を示し、様々な構成要素間の相互作用をよりよく観察することができる。図７では、トリガーブレードは休止しているが、図７ａではトリガーは絞られている。トリガーブレードが発射位置にあるとき、切離し装置シアーレバー１４は切離し装置レバー１１の後ろにあり、切離し装置を結合位置に保持することが特に注目される。この特性は、バースト発射（ｆｉｒｉｎｇ  ｉｎ  ｂｕｒｓｔｓ）時に有用であることが判明している。バースト発射はロッカー１２とトリガーブレード１３の間の望まれていない分離につながる可能性がある非常に強い振動を引き起こす。
【００８２】
トリガーブレード１３が絞られると、ラグ１９はストッパ５を回動し、これにより解除レバー１０は上方へ移動され、そのフック状の爪１５がラグ３１に引っ掛かる。トリガーブレードが解除されると、通りがかりに解除レバー１０をロッカー１２から分離する移動部品２の後方移動まで、ストッパ５は解除レバー１０によって移動部品の経路から外れた位置に保持される。
【００８３】
図１１は、第２の切離し装置ラグ５０がロッカー上に配置される自動動作の代替形態を示す。この追加のラグ５０は、切離し装置１１がそれに当接すると、切離し装置シアー３５の切離しレバーの経路にもはや存在しないように配置される。この場合、図１１に示すように、自動モードが選択されると、切離し装置シアーは、トリガーブレード１３とロッカー１２との間の結合をもはや切り離すことができない。この代替形態はまた、切離しが切離し装置１１の経路内に配置されたバッファ４０によって提供される代替形態にもまったく同じように適用できることに留意されたい。後者の場合、バッファ４０はもはや自動モードに移る必要はないので、固定された要素であり得ることに留意されたい。
【００８４】
代替的に、切離し装置ピンをトリガーブレードに、切離し装置ラグをロッカーに簡単に配置できることに留意されたい。
【符号の説明】
【００８５】
１  安全要素
２  移動部品
３  安全要素摺動面
４  移動部品の下の安全制御（及びストッパを下げる）面
５  ストッパ
６  安全要素バネ
７  安全要素ピン
８  安全制御ラグ
９  ストッパバッファ
１０  ストッパ解除レバー
１１  切離し装置
１２  ロッカー
１３  トリガーブレード
１４  切離し装置シアー
１５  解除レバー爪
１６  解除レバー回動ピン
１７  ロッカー及びトリガーブレード回動ピン
１８  （ロッカーに取り付けられた）切離し装置回動ピン
１９  ロッカー制御ラグ
２０  スライダ
２１  安全要素制御スロット
２２  ロッカー制御スロット
２３  切離し装置シアー制御スロット
２４  発射及び安全セレクタレバー
２５  発射制御アセンブリハウジング
２６  噛み合いスライダ−制御機構
２７  グリップ
２８  発射制御フレーム
２９  ピン
３０  切離し装置ラグ
３１  解除レバーラグ
３２  切離し装置シアー制御ラグ
３３  トリガーブレード解除隙間
３４  トリガーブレード不動化ラグ
３５  切離し装置シアー切離しレバー
３６  切離し装置シアー切離しカム
３７  スライダ制御ラック
３８  切離し装置シアー回動ピン
３９  暴走防止留め具
４０  切離し装置バッファ
４１  切離し装置バッファ制御ラグ
４２  セレクタノッチ
５０  第２の切離し装置ラグ
【図１】
2021513049.tif 000003
【図２ａ】
2021513049.tif 000004
【図２ｂ】
2021513049.tif 000005
【図２ｃ】
2021513049.tif 000006
【図２ｄ】
2021513049.tif 000007
【図２ｅ】
2021513049.tif 000008
【図３】
2021513049.tif 000009
【図４】
2021513049.tif 000010
【図５】
2021513049.tif 000011
【図６】
2021513049.tif 000012
【図７】
2021513049.tif 000013
【図７ａ】
2021513049.tif 000014
【図８】
2021513049.tif 000015
【図９】
2021513049.tif 000016
【図１０】
2021513049.tif 000017
【図１１】
2021513049.tif 000018
【国際調査報告】
2021513049.tif 000019
2021513049.tif 000020
2021513049.tif 000021
2021513049.tif 000022
2021513049.tif 000023
2021513049.tif 000024
2021513049.tif 000025
2021513049.tif 000026